(57)【要約】【課題】コルゲートチューブ用カバー付コネクタにおいて、コルゲートチューブの端縁部との接触による電線の損傷を防止する。【解決手段】コネクタハウジング１１から導出される電線Ｗを覆うようにしてコルゲートチューブ２１を保持する筒状のカバー３１を有するコネクタにおいて、コルゲートチューブ２１を保持する係止部３７の隣接位置にはコルゲートチューブ２１から導出される電線Ｗの経路をコルゲートチューブ２１の端縁部２２の内周よりも小径となるように規制する電線案内部３９を設ける。この電線案内部３９によって電線Ｗをコルゲートチューブ２１の端縁部２２に生じるバリ等の鋭利な部分と接触させないようにすることができる。【選択図】  図４
2004220856.tif 000002
【特許請求の範囲】
【請求項１】
電線の端末に取り付けられた端子金具が挿入されたコネクタハウジングと、該コネクタハウジングの端子挿入面側に装着されると共に上記コネクタハウジングから導出される電線を覆う筒状のカバーとからなるコネクタにおいて、
上記カバーにおける電線が導出される側の端部内周面にはコルゲートチューブの外周に嵌合して該コルゲートチューブを抜け止め状態で装着可能な係止部を設け、該係止部の隣接位置には上記コルゲートチューブから導出される電線の経路を上記コルゲートチューブの端縁部内周よりも小径となるように規制する電線案内部を設けていることを特徴とするコルゲートチューブ用カバー付コネクタ。
【請求項２】
上記カバーは合体することで筒状をなす一対の半割カバーからなると共に、両半割カバーの間には両半割カバーを合体状態に保持するロック機構を設け、上記電線案内部は上記両半割カバーの内周に周設した半割の環状突片からなる請求項１に記載のコルゲートチューブ用カバー付コネクタ。
【請求項３】
上記電線案内部における電線との接触部の断面はＲ面形状とされている請求項１または請求項２に記載のコルゲートチューブ用カバー付コネクタ。
【発明の詳細な説明】
【０００１】
【発明の属する技術分野】
本発明はコルゲートチューブ用カバー付コネクタに関し、詳しくは、コルゲートチューブの端縁部との接触による電線の損傷防止を図るものである。
【０００２】
【従来の技術】
従来、コネクタハウジングに導入される電線を保護するためのコルゲートチューブをカバーを介してコネクタハウジングの端子挿入面側に装着してなるコルゲートチューブ用カバー付コネクタが自動車用コネクタとして多用されている。そして、このようなコネクタとしては、例えば特許文献１に記載のものが知られている。
【０００３】
この種のコネクタにおける筒状のカバーは、電線導出側の端部にコルゲートチューブの外周に嵌合して、コルゲートチューブを抜け止め状態で保持するための凹凸状の保持部を備えている。そして、コルゲートチューブから導出された電線はカバー内のスペースにおける経路を通ってコネクタハウジングのキャビティ内に挿入されるようになっている。
【０００４】
【特許文献１】
特開平１０−２７６４５号公報
【０００５】
【発明が解決しようとする課題】
図７は、従来のカバー１の内部において、カバー１の端部に装着されたコルゲートチューブ２の端縁部２ａから電線Ｗが導出している部分の様子を示している。ここで、電線Ｗはコルゲートチューブ２の端縁部２ａの内周に接しながらカバー１の内部経路を通ってコネクタハウジングへ導入される。ところが、コルゲートチューブ２の端縁部２ａには成形時或いは切断時の都合により鋭利な突起状のバリが発生していることがある。このようなバリが存在する場合、自動車走行中の振動等の影響で電線Ｗに振れが生じると、電線Ｗがコルゲートチューブ２の端縁部２ａとの摺動接触にさらされて、電線Ｗの絶縁被覆に損傷を生じることがある。
【０００６】
本発明は、上記した問題に鑑みてなされたものであり、カバーの内部において、コルゲートチューブから導出される電線がコルゲートチューブの端縁部と接触しない状態で保持できるようにして電線の損傷を防止することを課題としている。
【０００７】
【課題を解決するための手段】
上記課題を解決するために、本発明は、電線の端末に取り付けられた端子金具が挿入されたコネクタハウジングと、該コネクタハウジングの端子挿入面側に装着されると共に上記コネクタハウジングから導出される電線を覆う筒状のカバーとからなるコネクタにおいて、
上記カバーにおける電線が導出される側の端部内周面にはコルゲートチューブの外周に嵌合して該コルゲートチューブを抜け止め状態で装着可能な係止部を設け、該係止部の隣接位置には上記コルゲートチューブから導出される電線の経路を上記コルゲートチューブの端縁部内周よりも小径となるように規制する電線案内部を設けていることを特徴とするコルゲートチューブ用カバー付コネクタを提供している。
【０００８】
上記構成によれば、カバー内においてコルゲートチューブの端縁部から導出される電線は電線案内部によってその経路が規制されるので、コルゲートチューブの端縁部に接触することがない。よって、電線の振動等に伴いコルゲートチューブの端縁部と摺動接触することによる絶縁被覆の損傷を確実に防止することができる。
【０００９】
上記カバーは合体することで筒状をなす一対の半割カバーからなると共に、両半割カバーの間には両半割カバーを合体状態に保持するロック機構を設け、上記電線案内部は上記両半割カバーの内周に周設した半割の環状突片から構成するのが好ましい。このようにすれば、半割カバーの一方にコルゲートチューブの端部を嵌め込むと共に電線を半割の環状突片の内周に位置決めした後、他方の半割カバーを合わせてロック機構により合体固定することでコルゲートチューブおよび電線を簡単に装着することができる。また、電線は環状突片の内周によりその経路が規制されるので、半割カバーを合体させるときに、カバーの周縁部に電線がかみ込むのを防止できる。
【００１０】
上記電線案内部における電線との接触部の断面はＲ面形状とするのが好ましい。このように構成すれば、電線の絶縁被覆に対する電線案内部の接触部分がより一層滑らかとなり、電線被覆への影響をなくすことができる。
【００１１】
【発明の実施の形態】
以下、本発明の実施形態を図面を参照して説明する。
図１は本発明のコルゲートチューブ用カバー付コネクタ１０の実施形態を示し、電線Ｗの端末に取り付けられた端子金具（図示せず）が挿入されるコネクタハウジング１１と、コネクタハウジング１１から導出される電線Ｗを覆うと共に、電線Ｗに外装されたコルゲートチューブ２１の端部を保持するカバー３１とから構成している。
【００１２】
コネクタハウジング１１は合成樹脂製からなり、図２に示すように、端子金具を収容する５つのキャビティ１２を備え、外面には相手側コネクタと結合固定するためのロックアーム１３を備えている。また、コネクタハウジング１１の後面側である端子挿入面１１ａには、カバー３１の一端を装着するための突片１４を突設している（図４）。
【００１３】
コルゲートチューブ２１は合成樹脂製からなり、コネクタハウジング１１のキャビティ５から導出される５本の電線Ｗを束ねて保護するためのものであり、外周面には凸条２１ａと凹溝２１ｂが交互に周設されて可撓性を有するようになっている。そして、カバー３１に保持される端縁部２２は、凹溝２１ｂの中間部分で切断されている（図４）。
【００１４】
カバー３１は、合成樹脂製のＬ型筒状体からなり、図３に示すように、二つ割りの一対の半割カバー３１ａ、３１ｂから構成すると共に、コネクタハウジング１１に取り付けるハウジング側端部３３の一側に突設したヒンジ３２を介して開閉可能に連結している。半割カバー３１ａ、３１ｂの間には、両者を閉じて合体状態で固定するロック機構を備えている。このロック機構は、４箇所設けられ、一方の半割カバー３１ａ側においてハウジング側端部３３におけるヒンジ３２と反対側の側壁と、コルゲートチューブ２１を保持するチューブ側端部３４の両側壁および中間の傾斜部分に外方に向けて係止爪３５を設けている。そして、他方の半割カバー３１ｂには、係止爪３５に対応する位置に、半割カバー３１ａ、３１ｂの合体状態において係止爪３５を受け入れて係合する係止枠３６を設けている。
【００１５】
半割カバー３１ａにおいてハウジング側端部３３の両側壁の内面には、コネクタハウジング１１の突片１４に係合する嵌合溝３３ａを形成し、この嵌合溝３３ａの上下位置には、突片１４の上下に設けた凹部１４ａに嵌合するガタ詰め突起３３ｂを設けている。一方、カバー３１の他端であるチューブ側端部３４の内周には、コルゲートチューブ２１の端部を抜け止め状態で装着するために、コルゲートチューブ２１の凹溝２１ｂに対応して係合する３本の半割状の係止突片３７ａ、３７ｂからなる係止部３７を半割カバー３１ａ、３１ｂにそれぞれ突設している。
【００１６】
更に、係止部３７より奥側の隣接位置には、図４、図５に示すように、係止部３７に装着されたコルゲートチューブ２１の端縁部２２の内径Ｄ１より小径となる電線Ｗの経路３８を規制する電線案内部３９を設けている。この電線案内部３９は、半割カバー３１ａ、３１ｂの内周壁からそれぞれ一体的に周設した半割の環状突片３９ａ、３９ｂから構成し、この環状突片３９ａ、３９ｂの内周により囲まれた部分を電線Ｗの経路３８としている。即ち、経路３８の径Ｄ２はコルゲートチューブ２１の端縁部２２の内径Ｄ１より小さい寸法設定とし、これによりコルゲートチューブ２１からカバー３１の奥へ導出される電線Ｗを電線案内部３９で案内して、電線Ｗがコルゲートチューブ２１の端縁部２２に接触しない状態を確保している。また、経路３８となる環状突片３９ａ、３９ｂにおける電線Ｗとの接触部の断面は、図５に示すようにＲ面形状３９ｃとし、電線Ｗの絶縁被覆への損傷を防止する形状としている。
【００１７】
次に、上記構成からなるコルゲートチューブ用カバー付コネクタの作用について説明する。
図４に示すように、コルゲートチューブ２１が外装された５本の電線Ｗの端末に取り付けられた各端子金具をコネクタハウジング１１の対応する各キャビティ１２内に挿入係止する。そして、カバー３１を構成する一方の半割カバー３１ａのハウジング側端部３３をコネクタハウジング１１の端子挿入面側１１ａに係合保持させると共に、コルゲートチューブ２１の端縁部２２を対応する係止突片３７ａに係止保持させる。このとき、図５に示すように、コルゲートチューブ２１の端縁部から導出される各電線Ｗを電線案内部３９の環状突片３９ａの経路３８内に位置するように配置する。そして、他方の半割カバー３１ｂを閉じて半割カバー３１ａと合体すると共に、係止爪３５と係止枠３６とからなるロック機構によって閉塞状態で固定する。
【００１８】
上記構成とすると、各電線Ｗはカバー３１内に保持され、コルゲートチューブ２１の端縁部２２から導出された電線Ｗは電線案内部３９の経路３８に案内された状態となる。即ち、コルゲートチューブ２１の端縁部２２の内径Ｄ１より経路３８の径Ｄ２の方が小さい寸法設定となっているので、各電線Ｗはコルゲートチューブ２１の端縁部２２に常に接触することなく配置される。このため、電線Ｗが自動車走行中の振動等により振れが発生しても、コルゲートチューブ２１の端縁部２２における切断バリ等と接触することがない。よって、電線Ｗの絶縁被覆がコルゲートチューブ２１の端縁部２２と摺動接触することに起因する損傷を未然に防止することができる。
【００１９】
なお、上記実施形態においては、電線案内部３９を環状突片３９ａ、３９ｂから構成した例を示したが、コルゲートチューブ２１の端縁部２２の内径Ｄ１より小径であれば経路３８が角形状であってもよい。更に、環状突片３９ａ、３９ｂをカバー３１の側壁を肉厚にすることにより経路３８を狭く形成するようにしてもよい。また、カバー３１としてＬ型で角筒状のものを示したが、ストレート型のものや円筒状のものにも同様に適用可能である。更に、半割カバー３１ａ、３１ｂをヒンジ３２により連結したものを示したが、それぞれ別体のものであってもよい。
【００２０】
【発明の効果】
以上の説明より明らかなように本発明では、カバー内部にコルゲートチューブの端縁部の内径より小径の電線導入経路を確保する電線案内部を設けたので、電線がコルゲートチューブの端縁部と接触することに起因する絶縁被覆の損傷を確実に防止することができる。
【図面の簡単な説明】
【図１】本発明のコルゲートチューブ用カバー付コネクタの平面図である。
【図２】図１の左側面図である。
【図３】カバーを開いた状態の斜視図である。
【図４】コネクタハウジングにカバーとコルゲートチューブを保持した状態におけるカバーを開いた状態の平面図である。
【図５】要部の拡大図である。
【図６】図５においてコルゲートチューブを除いたＸ−Ｘ面図である。
【図７】従来例を示す図である。
【符号の説明】
１０    コルゲートチューブ用カバー付コネクタ
１１    コネクタハウジング
１１ａ  端子挿入面
２１    コルゲートチューブ
２２    端縁部
３１    カバー
３１ａ、３１ｂ  半割カバー
３２    ヒンジ
３５    係止爪（ロック機構）
３６    係止枠（ロック機構）
３７    係止部
３７ａ、３７ｂ  係止突片
３８    導入経路
３９    電線案内部
３９ａ、３９ｂ  環状突片
Ｄ１    内径
Ｄ２    径
【図１】
2004220856.tif 000003
【図２】
2004220856.tif 000004
【図３】
2004220856.tif 000005
【図４】
2004220856.tif 000006
【図５】
2004220856.tif 000007
【図６】
2004220856.tif 000008
【図７】
2004220856.tif 000009